(57)【要約】【課題】情報端末に様々な機能を持つ端末機器の操作手段を構成する。【解決手段】情報端末２と、情報端末２と同じ建て屋内に設置された端末機器５〜７と、情報端末２と接続されかつ端末機器５〜７からの操作に基づいて端末機器に対して資源を供給する資源供給手段４とを備え、情報端末２は、端末機器５〜７の運転状態を検出し、表示手段に表示するとともに、記憶手段に記憶するものである。これによって、情報端末２から表示手段に表示される端末機器５〜７の運転状態に基づいて端末機器の操作ができるので、情報端末２から操作しても実際に開始される運転状態を認識した上で運転操作が行なうことができる。【選択図】図１
2006226588.tif 000002
【特許請求の範囲】
【請求項１】
建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とを備え、前記端末機器は端末機器を操作する端末機器操作手段を備え、前記情報端末は、前記端末機器の操作を行う操作手段と、前記端末機器の運転状態を表示する表示手段とを備え、前記端末機器操作手段により操作された前記端末機器の運転状態を検出し、前記表示手段に表示する資源供給システム。
【請求項２】
情報端末は記憶手段を備え、端末機器が運転切になったときに、切になる前に運転していた運転状態を記憶手段に記憶する請求項１に記載の資源供給システム。
【請求項３】
情報端末は、端末機器が運転入になったときに、その状態を表示手段に表示するとともに、端末機器が運転切になったときに切になる前に運転していた運転状態を表示手段に表示する請求項１に記載の資源供給システム。
【請求項４】
端末機器が運転していないときに情報端末の操作手段を操作して前記端末機器の運転を開始するとき、表示手段に表示された運転状態を開始する請求項３に記載の資源供給システム。
【請求項５】
端末機器が運転していないときに情報端末の操作手段を操作して前記端末機器の運転を開始するとき、記憶手段に運転状態の記憶のない場合、または、ありえない運転状態が記憶されている場合に、あらかじめ決められた運転状態で運転を開始させる請求項４に記載の資源供給システム。
【請求項６】
あらかじめ決められた運転状態は、一時的な運転状態であり、しかるべき後に運転状態が決定され、表示手段に表示する請求項５に記載の資源供給システム。
【請求項７】
一時的な運転状態で運転中に、端末機が運転切になった場合に、開始した一時的な運転状態を表示手段に表示する請求項６に記載の資源供給システム。
【請求項８】
情報端末は、端末機器の運転状態について、表示手段に表示している運転状態と資源供給手段から受信した運転状態とが異なる場合、資源供給手段から受信した運転状態を表示手段に表示する請求項５に記載の資源供給システム。
【請求項９】
請求項１〜８のいずれか１項記載の資源供給システムの少なくとも一部をコンピュータに実現させるためのプログラム。
【発明の詳細な説明】
【技術分野】
【０００１】
本発明は温水や電力、ガス、水などの資源を端末機器に供給する資源供給システムおよびそのプログラムに関し、特に端末機器を遠隔に操作するものである。
【背景技術】
【０００２】
従来の資源供給システムについて説明する。従来の資源供給システムのひとつである温水給湯暖房システムでは、例えば下記特許文献１では以下のようになっていた。図１２に従来の資源供給システムのフローチャートを示す。
【０００３】
この従来例では、資源供給手段として給湯器と、台所リモコンと、複数個の端末機器からなり、複数個の端末機器と台所リモコンとの接続が完了（１０１）した場合に端末機器側から台所リモコンに対し一定時間間隔で信号を出力（１０２）し、台所リモコンがこの信号を受信し、端末機器を認識する（１０３）と台所リモコンの表示部に機器に対応するアイコンや文字情報を表示する（１０４）とともに、台所リモコン側から端末機器に対して信号を出力する（１０５）。この結果、端末機器を接続したときその接続した機器であることを認識することができる。
【特許文献１】特開２０００−２９２００６号公報
【発明の開示】
【発明が解決しようとする課題】
【０００４】
しかしながら、前記従来の構成では、端末機器の認識を行ない、台所リモコンの表示部に機器に対応するアイコンや文字情報を表示しているが、現在、端末機器がどのような運転状態にあるかを知る方法が記載されていない。
【０００５】
また、端末機器が複数の運転状態を持つ場合、複数の運転状態のうちどの運転状態になるかがわかりにくいという欠点があった。
【０００６】
本発明は、前記従来の課題を解決するもので、資源供給手段から取得した情報を用いて台所リモコンである情報端末に端末機器の運転状態を表示することができる資源供給システムおよびそのプログラムを提供することを目的とする。
【課題を解決するための手段】
【０００７】
前記従来の課題を解決するために、本発明の資源供給システムは、建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とを備え、前記端末機器は端末機器を操作する端末機器操作手段を備え、前記情報端末は、前記端末機器の操作を行う操作手段と、前記端末機器の運転状態を表示する表示手段とを備え、前記端末機器操作手段により操作された端末機器の運転状態を検出し、前記表示手段に表示するものである。
【０００８】
これによって、端末機器操作手段により操作されて運転した運転状態を情報端末に表示し、表示手段に表示される端末機器の運転状態に基づいて情報端末から端末機器の操作ができるので、端末機器操作手段ではなく情報端末から操作しても、複数の運転状態がある端末機器の操作を的確に実行でき、かつ、実際に開始される運転状態を認識した上で運転操作が行なうことができる。
【発明の効果】
【０００９】
本発明の資源供給手段およびそのプログラムは、複数の運転状態を持つ端末機器を情報端末から操作する場合であっても、複数の運転状態がある端末機器の操作を的確に実行でき、かつ、実際に開始される運転状態を認識した上で運転操作が行なうことが可能で、使いやすい資源供給システムを提供することができる。
【発明を実施するための最良の形態】
【００１０】
第１の発明は建て屋に設けられた情報端末と、前記情報端末と同じ建て屋内に設置された端末機器と、資源供給手段制御通信手段により前記情報端末と接続されかつ前記端末機器からの操作に基づいて端末機器に対して資源を供給する資源供給手段とを備え、前記端末機器は端末機器を操作する端末機器操作手段を備え、前記情報端末は、前記端末機器の操作を行う操作手段と、前記端末機器の運転状態を表示する表示手段とを備え、前記端末機器操作手段により操作された前記端末機器の運転状態を検出し、前記表示手段に表示することにより、情報端末から操作する場合であっても、複数の運転状態がある端末機器の操作を的確に実行でき、かつ、実際に開始される運転状態を認識した上で運転操作が行なうことが可能となるので、使いやすい資源供給システムを提供することができる。
【００１１】
第２の発明は、情報端末は記憶手段を備え、端末機器が運転切になったときに、切になる前に運転していた運転状態を記憶手段に記憶することにより、運転切になっても次に運転開始したときに前回運転時の運転状態で運転を開始することが可能で、複数の運転状態がある端末機器の操作を的確に実行でき複数の運転状態があっても使いやすい資源供給システムを提供することができる。
【００１２】
第３の発明は、情報端末は、端末機器が運転入になったときに、その状態を表示手段に表示するとともに、端末機器が運転切になったときに切になる前に運転していた運転状態を表示手段に表示することにより、運転切になっても前回運転時の運転状態を確認することが可能で、複数の運転状態があっても使いやすい資源供給システムを提供することができる。
【００１３】
第４の発明は、端末機器が運転していないときに情報端末の操作手段を操作して前記端末機器の運転を開始するとき、表示手段に表示された運転状態を開始することにより、運転切になっても次に運転開始したときに前回運転時の運転状態を確認したうえで運転を開始することが可能で、複数の運転状態があっても使いやすい資源供給システムを提供することができる。
【００１４】
第５の発明は、端末機器が運転していないときに情報端末の操作手段を操作して前記端末機器の運転を開始するとき、記憶手段に運転状態の記憶のない場合、または、ありえない運転状態が記憶されている場合に、あらかじめ決められた運転状態で運転を開始させることにより、端末機器にない運転状態を受信した場合であっても、あらかじめ決められた運転状態を記憶するので、情報端末が始めて起動した場合や、熱源機から誤った情報を受信した場合であっても、端末機器蛾持つ運転状態を記憶することができ、矛盾のない資源供給システムを提供することができる。
【００１５】
第６の発明は、あらかじめ決められた運転状態は、一時的な運転状態であり、しかるべき後に運転状態が決定され、記憶手段に記憶するとともに表示手段に表示することにより、情報端末で適切な運転状態を決定できない場合であっても、端末機器や熱源機で適切な運転状態を決定し、決定された運転状態を情報端末の表示手段に表示できるので、端末機器や熱源機の状態にあわせて適切な運転状態を選択できる。
【００１６】
第７の発明は、一時的な運転状態で運転中に、端末機が運転切になった場合に、開始した一時的な運転状態を表示手段に表示することにより、まだ適切な運転状態が確定していない場合に運転を切にした場合に、次に運転を開始するときに再び一時的な運転状態にすることができる。
【００１７】
第８の発明は、情報端末は、端末機器の運転状態について、表示手段に表示している運転状態と資源供給手段から受信した運転状態とが異なる場合、資源供給手段から受信した表示手段に表示する。
【００１８】
これによって、端末機器の運転状態が変更されてもすぐに表示手段に表示し、次に運転入り操作をしても常に最新の運転状態で運転を開始できる。
【００１９】
第９の発明は、第１〜８の発明のいずれか記載の資源供給システムの機能の少なくとも一部をコンピュータに実行させるためのプログラムである。そして、プログラムであるので、電気・情報機器、コンピュータ、サーバー等のハードリソースを協働させて本発明の資源供給システムの少なくとも一部を容易に実現することができる。また記録媒体に記録したり通信回線を用いてプログラムを配信したりすることでプログラムの配布・更新やそのインストール作業が簡単にできる。
【００２０】
以下、本発明の実施の形態について、図面を用いて一実施形態について詳細に説明する。なお、この実施の形態によって本発明が限定されるものではない。
【００２１】
（実施の形態１）
本発明の実施の形態１の資源供給システムを図面とともに説明する。
【００２２】
実施の形態１の資源供給システムはふろ給湯暖房システムの台所リモコンに用いた例を示す。
【００２３】
図１は本発明の実施の形態１の資源供給システムの全体ブロック図、図２〜８はシステムの情報端末等の詳細ブロック図、図９は情報端末である台所リモコンの外観図、図１０は表示手段に表示される操作手段の画面図、図１１は操作手段を操作した場合のフローチャートである。
【００２４】
図１に示すように本実施の形態の資源供給システムは、データを端末に配信するサーバー１、情報端末である台所リモコン２、浴室リモコン３、資源供給手段である熱源機４、熱源機４から供給される温水により設置された部屋の床面を暖房する端末機器である床暖房機５、熱源機４から供給される温水により部屋の暖房を行うとともに室外機６ｂから冷却して供給される冷媒を用いて部屋を冷房する端末機器である温水エアコン６、および熱源機４から供給される温水により浴室を暖房する端末機器である浴室暖房機７から構成される。
【００２５】
サーバー１はふろ給湯暖房システムの販売元のサーバー業者Ａに設置され、台所リモコン２、浴室リモコン３、熱源機４、床暖房機５、温水エアコン６、浴室暖房機７はふろ給湯暖房システムを利用する給湯暖房利用者宅Ｂに設置される。サーバー１と台所リモコン２とは公衆回線網２０により接続されて相互にデータの送受信が可能となっている。
【００２６】
台所リモコン２と浴室リモコン３と熱源機４との間は資源供給手段制御通信手段である熱源機制御通信手段２２により接続されて台所リモコン２及び浴室リモコン３から熱源機４の操作を行なうとともに、台所リモコン２及び浴室リモコン３に熱源機４の運転状況のモニター表示を行なえるようにしている。
【００２７】
図６のように、床暖房機５は、床面に埋め込まれて配設される床暖房温水配管５ａと、温水の供給を制御する床暖房リモコン５ｂとからなる。
【００２８】
図７のように、温水エアコン６は、建屋の内部に設置された室内機６ａと、建屋の外部に設置された室外機６ｂと、温水エアコン６の運転を操作する端末機器操作手段である温水エアコン操作リモコン６ｃとからなり、冷房に用いる冷媒は室外機６ｂで冷却されて室内機６ａに供給される。
【００２９】
また、図８のように、浴室暖房機７は、浴室を暖房する浴室暖房温水配管７ａと、温水の供給を制御する浴室暖房リモコン７ｂとからなる。
【００３０】
図１のように、熱源機４と床暖房リモコン５ｂ、温水エアコン６の室内機６ａと浴室暖房リモコン７ｂとは機器通信手段２３により接続され、床暖房リモコン５ｂ、温水エアコン操作リモコン６ｃおよび浴室暖房リモコン７ｂの操作内容や熱源機４の運転状況などの通信を行う。
【００３１】
また、熱源機４と床暖房温水配管５ａと温水エアコン温水配管６ｄと浴室暖房温水配管７ａとは熱源機４が生成する温水を供給するための暖房温水配管２６で接続され、それぞれ、床暖房リモコン５ｂ、温水エアコン操作リモコン６ｃ、浴室暖房リモコン７ｂの操作により熱源機４から温水を供給する。
【００３２】
機器通信手段２３において通信される運転状況の情報等は熱源機制御通信手段２２を通じて台所リモコン２に伝達され、台所リモコン２で床暖房機５、温水エアコン６や浴室暖房機７の運転状況を確認できるようになっている。さらに、台所リモコン２を操作することにより台所リモコン２から床暖房機５や温水エアコン６および浴室暖房機７の運転を制御することも可能としている。
【００３３】
上記のうち、サーバー１は図２のように、サーバー１を制御するサーバー制御手段１ａ、サーバー１へデータの入力をしたりサーバー１の操作を行なうサーバー入力手段１ｂ、サーバー１の動作状況など必要な情報を表示するサーバー出力手段１ｃ、データー入力手段１ｂから入力されたり台所リモコン２から受信したデータを記憶するサーバー記憶手段１ｄ、サーバー１と台所リモコン２とを公衆回線網２０を通じて接続するサーバー端末通信手段１ｅとからなる。
【００３４】
また、台所リモコン２は図３のように、台所リモコン２を制御する台所リモコン制御手段２ａ、台所リモコン２を操作する台所リモコン操作手段２ｂ、熱源機４の動作状況など必要な情報を表示する台所リモコン表示手段２ｃ、あらかじめ登録されたデータや台所リモコン２から受信したデータを記憶する台所リモコン記憶手段２ｄ、浴室リモコン３や熱源機４と通信して熱源機の制御を行なうための通信を行なう台所リモコン熱源機通信手段２ｅ、台所リモコン２とサーバー１とを公衆回線網２０を通じて接続する台所リモコンサーバー通信手段２ｆからなる。
【００３５】
なお、台所リモコン操作手段２ｂには図９のように、給湯運転ボタン２ｂａ、ふろ自動ボタン２ｂｂ、通話ボタン２ｂｃ、戻るボタン２ｂｄ、矢印ボタン２ｂｅ、決定ボタン２ｂｆの各ボタンがある。
【００３６】
また、台所リモコンは、台所リモコン操作手段２ｂと台所リモコン表示手段２ｃとを用いて熱源機に接続された端末機器の切／入の操作を行うための操作手段である端末機器操作画面を持つ。図９に端末機器操作画面２ｇを示す。端末機器操作画面２ｇは台所リモコン記憶手段２ｄに記憶されており、操作するときに台所リモコン操作手段２ｂを操作して端末機器操作画面２ｇを台所リモコン表示画面２ｃに表示させ、台所リモコン操作手段２ｂを用いて操作することにより該当する端末機器を操作する。
【００３７】
また、浴室リモコン３は図４のように、浴室リモコン３を制御する浴室リモコン制御手段３ａ、浴室リモコン３を操作する呼び出し手段である浴室リモコン操作手段３ｂ、熱源機４の動作状況など必要な情報を表示する浴室リモコン表示手段３ｃ、あらかじめ登録されたデータや台所リモコン２から受信したデータを記憶する浴室リモコン記憶手段３ｄ、台所リモコン２や熱源機４と通信して熱源機の制御を行なうための通信を行なう浴室リモコン熱源機通信手段３ｅとからなる。
【００３８】
また、熱源機４は図５のように、熱源機４を制御する熱源機制御手段４ａ、台所リモコン２および浴室リモコン３と通信して操作情報の受信や運転状況の送信を行なう熱源機リモコン通信手段４ｂ、熱源機制御手段４ａの指示により温水を生成する熱交換器４ｃ、熱交換器の温水の流量を検出する流量センサ４ｄ、熱交換器４ｃの燃焼の有無を検出する燃焼センサ４ｅ、ふろの湯量を検出するふろ湯量センサ４ｆ、ふろの湯温を検出するふろ湯温センサ４ｇ、床暖房リモコン５ｂや浴室暖房リモコン７ｂと通信して操作情報の受信や運転状況の送信を行う熱源機機器通信手段４ｈ、給湯温水配管２４に接続しカランやシャワーなどに温水を給湯する給湯温水供給手段４ｉ、ふろ温水配管２５に接続しふろの湯沸しや追い炊きを行うふろ温水供給手段４ｊ、暖房温水配管２６に接続し床暖房機５、温水エアコン６や浴室暖房機７へ温水を供給する暖房温水供給手段４ｋとからなる。なお、熱源機機器通信手段４ｈは床暖房機などの暖房端末を複数接続できるように６個のコネクタ（図示せず）を配置している。
【００３９】
また、暖房温水供給手段４ｋは複数の低温端末接続配管と高温端末接続配管とを持ち、低温端末接続配管には床暖房機などの低温端末、また高温端末接続配管には浴室暖房機や温水エアコンなどの高温端末をそれぞれ接続する。複数の低温端末接続配管はそれぞれに弁が配置されており、配管毎に１対１で対応するコネクタに接続された端末機器からの操作により、対応する低温端末接続配管の弁を開閉できるようになっている。
【００４０】
また、床暖房機５は図６のように、前述のように床暖房温水配管５ａと床暖房リモコン５ｂとからなり、床暖房温水配管５ａは暖房温水配管２６に接続されて温水を通すことにより床面を温める床暖房を行う。
【００４１】
床暖房リモコン５ｂは、床暖房の機能を制御する床暖房制御手段５ｂａ、運転状況を表示する床暖房表示手段５ｂｂ、床暖房機能の操作を行う床暖房操作手段５ｂｃ、機器通信手段２３を通じて熱源機４との通信を行う床暖房機器通信手段５ｂｄとからなり、熱源機４の熱源機機器通信手段４ｈの複数のコネクタのうち床暖房温水配管５ａに接続された低温端末接続配管に１対１で対応したコネクタに接続され機器通信手段２３を介して通信して制御情報を送信し、床暖房機５への温水の供給を制御する。
【００４２】
なお、床暖房機は暖房運転時には、熱源機４に対して６０℃または７２℃の温水を要求し、熱源機４の低温端末接続用配管に接続される。
【００４３】
また、温水エアコン６は図７に示すように、前述のように建屋の内部に設置され、冷風または温風を室内に送る室内機６ａと建屋の外部に設置された室外機６ｂと、温水エアコン６の運転を操作する温水エアコン操作リモコン６ｃとからなる。
【００４４】
室内機６ａと室外機６ｂとの間は室内外通信手段６ｄにより相互に接続され、また、温水エアコン操作リモコン６ｃと室内機６ａとは、赤外線通信６ｅにより温水エアコン操作リモコン６ｃから室内機６ａへのデータ通信が行われる。
【００４５】
室内機６ａは、熱源機４から供給される温水を通す温水エアコン温水配管６ａ１と、温水配管への温水の供給を制御する温水供給バルブ６ａ２と、室外機６ｂで冷却された冷媒６ｆを通す冷房配管６ａ３と、温水エアコン温水配管６ａ１または冷房配管６ａ３により空気を加熱または冷却する熱交換器６ａ４と、空気取入口６ａ４から室内空気を取り入れて熱交換器６ａ４に送るとともに熱交換器６ａ４において加熱または冷却された空気を空気吹出口６ａ６から室内に送リ出す送風機６ａ７、温水エアコン全体の制御を行う温水エアコン制御手段６ａ８、温水エアコン操作リモコン６ｃの操作内容を赤外線通信により受信する赤外線通信受信手段６ａ９、室内外通信手段により室外機６ｂとの通信を行う室外機通信手段６ａ１０、熱源機４の熱源機機器通信手段４ｈの複数のコネクタのうちの一つに接続され機器通信手段２３を介して熱源機と通信する温水エアコン制御通信手段６ａ１１、温水エアコンの運転を制御するために室内の温度をモニターする室温センサ６ａ１２とからなる。
【００４６】
室外機６ｂは、冷媒を圧縮膨張させ冷媒６ｆの持つ熱を大気中に放熱させることにより冷却する冷却手段６ｂ１、冷媒６ｆを循環させる循環ポンプ６ｂ２、室内外通信手段６ｄを通じて室内機６ａとの通信を行う室内機通信手段６ｂ３、室外機６ｂの制御を行う室外機制御手段６ｂ４とからなる。
【００４７】
さらに、温水エアコン操作リモコン６ｃは、温水エアコン６を操作するための温水エアコン操作手段６ｃ１、操作結果を表示する温水エアコン表示手段６ｃ２、操作結果を室内機６ａに対し赤外線通信により送信する赤外線通信送信手段６ｃ３となからなる。
【００４８】
なお、温水エアコン６は暖房運転時には、熱源機に対して８０℃の温水を要求し、熱源機４の高温端末接続用配管に接続される。
【００４９】
また、浴室暖房機７は図８のように、前述のように浴室暖房温水配管７ａと浴室暖房リモコン７ｂとからなり、浴室暖房温水配管７ａは暖房温水配管２６に接続されて温水を通すことにより床面を温める浴室暖房を行う。
【００５０】
浴室暖房リモコン７ｂは、浴室暖房の機能を制御する浴室暖房制御手段７ｂａ、運転状況を表示する浴室暖房表示手段７ｂｂ、浴室暖房機能の操作を行う浴室暖房操作手段７ｂｃ、機器通信手段２３を通じて熱源機４との通信を行う浴室暖房機器通信手段７ｂｄとからなり、熱源機４の熱源機器通信手段４ｈの複数のコネクタのうち浴室暖房温水配管７ａに接続された高温端末接続配管に対応するコネクタの一つに接続され機器通信手段２３を介して通信して制御情報を送信し、浴室暖房機７への温水の供給を制御する。
【００５１】
なお、浴室暖房機７は暖房運転時には、熱源機に対して８０℃の温水を要求し、熱源機４の高温端末接続用配管に接続される。
【００５２】
以上の構成による作用を示す。
【００５３】
熱源機設置住宅の住人が台所で温水を利用する場合、まず台所リモコン（図９）の台所リモコン操作手段２ｂの給湯運転ボタン２ｂａを押すと、給湯機４が運転を開始させる。
【００５４】
運転ボタン２ｂａを押して給湯運転ＯＮさせる指示は、台所リモコン熱源機通信手段２ｅから熱源機制御通信手段２２を通じて熱源機４へ伝達され、熱源機４は熱源機リモコン通信手段４ｂにより受信した給湯運転ＯＮ指示の電文により熱源機制御手段４ａが熱源機の給湯運転をＯＮする。
【００５５】
この状態で、台所の給湯温水のカラン（図示せず）を開くと熱源機の給湯温水路（図示せず）の水路が開き熱源機の給湯温水路に上水道から供給された水が流れ、給湯温水路に設置された流量センサ４ｄが給湯温水路の水流を検出して熱交換器を点火し燃焼による給湯用温水の生成を開始する。
【００５６】
熱交換器の燃焼は燃焼センサ４ｅにより検出され、燃焼中であるという情報が熱源機リモコン通信手段４ｂから熱源機制御通信手段２２により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに燃焼マークを表示して、熱源機４の給湯燃焼を報知する。
【００５７】
熱交換器４ｃで生成された給湯温水は住宅内の給湯温水配管２４を経て台所のカランから流出する。カランを閉じると、給湯温水配管２４と熱源機４の給湯温水路の水流が停止し、流量センサ４ｄが水流の停止を検出し、熱交換器４ｃを消火し給湯温水の生成を停止する。
【００５８】
燃焼が停止したことを燃焼センサ４ｅが検出すると、燃焼中でないという情報が熱源機リモコン通信手段４ｂから熱源機制御通信手段２２により台所リモコン２と浴室リモコン３に送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに表示されている燃焼マークを消去し、燃焼中でないことを明示する。
【００５９】
一方、ふろを沸かす場合では、台所リモコン操作手段２ｂのふろ自動ボタン２ｂｂを押すと、ふろ自動運転を開始する。ふろ自動ボタン２ｂｂを押してふろ自動運転をＯＮさせる指示は、台所リモコン熱源機通信手段２ｅから熱源機制御通信手段２２を通じて熱源機４へ伝達され、熱源機４は熱源機リモコン通信手段４ｂにより受信したふろ自動ＯＮ指示の電文により熱源機制御手段４ａが熱源機のふろ自動運転を開始する。
【００６０】
ふろ自動では、ふろ湯量センサ４ｆが検出したふろの残り湯の状況に応じて水量が設定水量に足りない場合は給湯温水供給手段４ｉからふろ温水配管２５へ温水を供給しながらあらかじめ設定された水量のお湯を張り、ふろ温水供給手段４ｊにより温水を循環させてふろ湯温をあらかじめ設定された温度に調整し、ふろ湯量センサ４ｆがあらかじめ設定された水量と湯温に到達したことを検出するとお湯張りが完了して保温へ移行する。保温では、ふろ湯温センサ４ｇにより湯温の低下を検出するとふろにたまっているお湯をふろ温水配管２５からふろ温水供給手段４ｊを通じて熱交換器４ｃへ導いて循環させ湯温を上げる追い炊きを行ない、設定された湯温に戻ると追い炊きを停止する、という動作を繰り返し、あらかじめ設定された保温時間の間、この動作を継続する。
【００６１】
このような熱源機４の動作内容は熱源機制御通信手段２２により熱源機４から台所リモコン２および浴室リモコン３へ送信され、台所リモコン２と浴室リモコン３では台所リモコン熱源機通信手段２ｅ、浴室リモコン熱源機通信手段３ｅが受信したデータに基づき、熱源機４の運転状況に応じた表示を台所リモコン表示手段２ｃ、浴室リモコン表示手段３ｃに行なう。
【００６２】
カランから出湯するお湯の温度、ふろ自動で用いるお湯張り水量、温度はあらかじめ台所リモコン２または浴室リモコン３の各リモコン操作手段により入力されて熱源機４へ送信され、熱源機記憶手段４ｌにより設定値を記憶する。浴室リモコン３または台所リモコン２で設定されるたびに熱源機４に送信され、新しい設定値が送信されるたびに設定値を入れ替える。
【００６３】
また、床暖房リモコン５ｂから床暖房機５を操作する場合には、床暖房操作手段５ｂｃを操作して運転を開始すると、運転開始の情報が床暖房機器通信手段５ｂｄにより熱源機４に伝達され、熱源機４では熱源機機器通信手段４ｈが受信した電文に基づいて暖房温水供給手段４ｋを動作させて暖房温水配管２６を経て床暖房温水配管５ａへ温水を供給する。運転の状況は床暖房表示手段５ｂｂへ表示され、床暖の運転状況を確認できる。
【００６４】
また、温水エアコン操作リモコン６ｃから温水エアコン６を操作する場合には、温水エアコン操作手段６ｃ１を操作して冷房運転、ドライ運転および、暖房運転のうち一つの運転状態を選択して運転を開始すると、選択した運転状態が温水エアコン表示手段６ｃ２に表示されるとともに、赤外線通信送信手段６ｃ３により室内機６ａに送信される。
【００６５】
室内機６ａでは、赤外線通信受信手段６ａ９が受信した温水エアコン操作リモコン６ｃの操作結果に基づき、温水エアコン制御手段６ａ８が温水エアコンの動作を制御する。冷房運転やドライ運転の場合は、室外機６ｂに対し室内外通信手段６ｅを通じて冷却運転を指示し冷却手段６ｂ１と循環ポンプ６ｂ２を動作させて冷却手段６ｂ１が冷却した冷媒を循環ポンプ６ｂ２が循環させて室内機６ａに送り、室内機６ａでは熱交換器６ａ４に導入し、送風機６ａ７により空気取入口６ａ４から取り込まれた室内の空気を、熱交換器６ａ４で冷却して空気吹出口６ａ５から室内に吹き出して室内の冷房または除湿を行う。
【００６６】
また、暖房運転の場合は、温水供給バルブ６ａ２を開き、温水エアコン制御通信手段６ａ１１から熱源機機器通信手段２２を通じて熱源機４に対し暖房運転開始を送信し、熱源機４はリモコン通信手段４ｂが受信した電文に基づいて暖房温水供給手段４ｋを動作させて暖房温水配管２６を通じて室内機６ａへ暖房用の温水を供給し、室内機６ａは熱源機４から供給された温水を熱交換器６ａ４に導入し、送風機６ａ７により空気取入口６ａ４から取り込まれた室内の空気を、熱交換器６ａ４で加熱して空気吹出口６ａ５から室内に吹き出して室内の暖房を行う。
【００６７】
また、浴室暖房リモコン７ｂから浴室暖房機７を操作する場合には、浴室暖房操作手段７ｂｃを操作して運転を開始すると、運転開始の情報が浴室暖房機器通信手段７ｂｄにより熱源機４に伝達され、熱源機４では熱源機機器通信手段４ｈが受信した電文に基づいて暖房温水供給手段４ｋを動作させて暖房温水配管２６を経て浴室暖房温水配管７ａへ温水を供給する。運転の状況は浴室暖房表示手段７ｂｂへ表示され、浴室暖房の運転状況を確認できる。
【００６８】
なお、本実施の形態の資源供給システムでは、床暖房機５と温水エアコン６、および、浴室暖房機７といった端末機器の運転状況の表示と運転操作を台所リモコン２からも行えるようにしている。
【００６９】
これは、台所リモコン２に端末機器の運転状況を表示し操作を実現するための端末機器操作画面２ｇを構成し、操作内容を熱源機制御通信手段２２を通じて台所リモコン２から熱源機４へ伝達し、熱源機４では受信した内容に応じて暖房温水供給手段４ｋを動作させ、さらに機器通信手段２３を通じて熱源機４から床暖房リモコン５ｂや温水エアコン６の室内機６ａ、浴室暖房リモコン７ｂへ操作内容を伝達することにより、必要な制御を行って、台所リモコン２からの操作を反映する。
【００７０】
また、床暖房リモコン５ｂや温水エアコン操作リモコン６ｃ、浴室暖房リモコン７ｂで行われた操作についても、機器通信手段２３を通じて熱源機４が受信した内容を台所リモコン２へ転送し、台所リモコン２は、熱源機制御通信手段２２から受信した電文に基づき、表示手段２ｃに暖房機器の運転状況を表示することができる。
【００７１】
次に、台所リモコン２から床暖房機５と温水エアコン６、および、浴室暖房機７を操作する方法について説明する。
【００７２】
熱源機４に接続される暖房機器は設置される住宅により異なっているため、設置する家庭の状況に合わせて端末機器操作画面２ｇを構成する必要がある。本実施の形態では、台所リモコン２にあらかじめ設置予定の床暖房機５、温水エアコン６や浴室暖房機７といった端末機器を操作するための情報を入力しておき、台所リモコン２から操作可能な端末機器操作画面２ｇを構成している。
【００７３】
構成される端末機器操作画面２ｇは台所リモコン表示手段２ｃに表示され、図１０に示すように、床暖房２ｇａ、エアコン２ｇｂ、浴室暖房２ｇｃといった接続された端末機器に対応する表示エリアを持ち、それぞれの表示エリア上に必要な情報や操作のためのアイコンを配置する。
【００７４】
ここに設置された部屋名２ｇａａ、２ｇｂａ、２ｇｃａ、設置された機器名２ｇａｂ，２ｇｂｂ、２ｇｃｂ、運転の切／入に応じて色が変わる状態アイコン２ｇａｃ、２ｇｂｃ、２ｇｃｃ、切／入の操作を行う操作アイコン２ｇａｄ、２ｇｂｄ、２ｇｃｄを配置して構成されている。
【００７５】
なお、図１０では状態アイコン２ｇａｃ、２ｇｂｃ、２ｇｃｃを破線の四角で表示しているが、実際には破線の四角の中に状態を示す絵が表示されている。
【００７６】
操作アイコン２ｇａｄ、２ｇｂｄ、２ｇｃｄが操作されると操作された操作アイコンに割り当てられた端末機器の運転の切／入が実行される。操作アイコン２ｇａｄを運転切の状態で操作した場合、まず状態アイコン２ｇａｃの色を運転切から運転入りに変更し、操作アイコン２ｇａｄに割り当てられた床暖房５を運転入りにする電文を熱源機制御通信手段２２を通じて熱源機４に伝達し、熱源機４では受信した内容に基づき、機器通信手段２３を通じて床暖房リモコン５ｂに操作内容を伝達し、床暖房リモコン５ｂは熱源機４から受信した内容に基づき床暖房５の運転を開始する。
【００７７】
一方、操作アイコン２ｇａｄを運転入りの状態で操作した場合、状態アイコン２ｇａｃの色を運転入から運転切に変更し、運転切が同様な経路で床暖房リモコン５ｂに伝達されて、床暖房５の運転を停止する。浴室暖房も同様に操作アイコン２ｇｃｃを操作することにより、浴室暖房機７の運転の切／入が操作できる。
【００７８】
一方、温水エアコン６は、すでに述べたように冷房、ドライ、暖房の複数の運転状態を持っており、エアコンの表示エリア２ｇｂのうち運転状態表示２ｇｂｅに現在の運転状態を表示している。運転状態表示２ｇｂｅには、温水エアコン６が運転中の場合には現在の運転状態を、運転中でない場合には台所リモコン記憶手段２ｄに記憶された運転状態を表示する。台所リモコン記憶手段２ｄには前回に運転されたときの運転状態を熱源機４から取得して記憶しており、温水エアコンが運転切の場合に台所リモコン２から温水エアコンの運転入操作を行うと、台所リモコン表示手段２ｃに表示された運転状態で温水エアコンが運転開始するように熱源機制御通信手段２２を通じて熱源機４に伝達し、熱源機４では受信した内容に基づき、機器通信手段２３を通じて温水エアコン６に操作内容を伝達し、温水エアコン６は熱源機４から受信した内容に基づき指定された運転状態で運転を開始する。
【００７９】
このようにすることにより、台所リモコン２では運転入と運転切の操作をするだけで、複数の運転状態を持つ機器を的確に操作できる。
【００８０】
図１１に温水エアコン６の操作アイコン２ｇｂｃを操作されたときのフローチャートを示す。
【００８１】
操作アイコンが操作される（Ｓ５０）と、まず、現在運転中かどうかを確認（Ｓ５１）し、ここで運転中でなければ次に前回運転時の運転状態の記憶が存在するかを確認（Ｓ５２）し、記憶が存在すれば記憶された運転状態で運転開始する電文を作成して熱源機４に送信（Ｓ５４）する。記憶が存在しなければ、あらかじめ決められたデフォルトの運転状態で運転開始する電文を作成して熱源機に対し４電文を送信（Ｓ５３）する。
【００８２】
電文送信後、運転入の表示（Ｓ５５）と運転状態の表示（Ｓ５９）を行い、処理を終了（Ｓ６０）する。
【００８３】
一方、現在運転中の確認（Ｓ５１）において運転中であれば、まず、現在運転中の運転状態を台所リモコン記憶手段に記憶（Ｓ５６）し、運転停止する電文を作成して熱源機４に対し送信（Ｓ５７）し、運転切の表示（Ｓ５８）とこれまで運転していた運転状態の表示（Ｓ５９）を行い、処理を終了（Ｓ６０）する。
【００８４】
また、温水エアコン制御リモコン６ｃにより運転状態が変更されると、赤外線通信手段６ｅにより温水エアコン室内機６ａに新たに運転開始する運転状態が伝達され、機器通信手段２３を通じて熱源機４に伝達され、さらに熱源機制御通信手段２２を通じて台所リモコン２に伝達されて、台所リモコン２の運転状態表示エリアに表示されるとともに、台所リモコン記憶手段２ｄに記憶される。
【００８５】
なお、本実施の形態ではあらかじめ決められたデフォルトの運転状態として「自動」を使用している。温水エアコン６はこの運転状態を受信すると、温水エアコン６が室温センサ６ａ１２により室内温度を検出し運転開始する運転状態を決定する。室温センサ６ａ１２が検出した室内温度が一定値以上であればドライ運転、一定値以下であれば暖房運転とし、その運転状態に遷移するとともに、遷移したモードが機器通信手段２３を通じて熱源機４に伝達され、さらに熱源機制御通信手段２２を通じて台所リモコン２に伝達されて、台所リモコン２の運転状態表示エリアに表示され、台所リモコン記憶手段２ｄに記憶される。
【００８６】
このように、「自動」は台所リモコン記憶手段２ｄに記憶がない状態に指定される一時的な運転状態であり、この運転を開始すると熱源機４から温水エアコン６が決定した運転状態を受信して台所リモコン記憶手段２ｄに記憶する。ただし、「自動」運転開始を熱源機４に送信後、新たな運転状態を受信するまでの間に、操作アイコンを操作された場合には、運転状態を「自動」として台所リモコン記憶手段２ｄに記憶し、運転切として熱源機４に送信する。
【００８７】
これによって、温水エアコンが実際に運転状態を決定してない状態では「自動」を記憶するので、次に台所リモコン２の操作アイコンを操作して温水エアコン６の運転を開始する場合にも開始する運転状態を温水エアコンに決定させるようにすることができる。
【００８８】
なお、「自動」を記憶している場合に温水エアコンの運転状態を熱源機から受信した場合には、受信した運転状態で台所リモコン記憶手段２ｄの記憶を上書きしている。
【００８９】
また、熱源機４から温水エアコンの運転状態を受信した場合、台所リモコン記憶手段２ｄに記憶されている運転状態が異なっている場合には、受信した運転状態で台所リモコン記憶手段２ｄの記憶を上書きし、表示手段２ｃに表示する運転状態を受信した運転状態に書き換えている。これによって、温水エアコン制御リモコン６ｃにより運転状態が変更されてもすぐに表示手段２ｃに表示し、次に運転入り操作をしても常に最新の運転状態で運転を開始できる。
【００９０】
さらに、温水エアコンの操作アイコン２ｇｂｃが操作されて運転を開始するとき、台所リモコン記憶手段２ｄに記憶された運転状態が、運転状態として記憶する運転状態以外のありえない運転状態であった場合には、デフォルトの運転状態で運転開始する。これによって、ノイズ等の影響を受けて記憶手段の記憶状態が変化しありえない運転状態となってしまった場合であっても、デフォルトの運転状態で運転を開始するので、間違った操作をすることがない。
【００９１】
以上のように、複数の運転状態を持つ端末機器を情報端末から操作する場合であっても、実際に開始される運転状態を認識した上で運転操作が行なうことが可能で、使いやすい資源供給システムを提供することができる。
【００９２】
なお、本実施の形態の資源供給システムでは、表示手段に運転状態を表示する端末機器として温水エアコンについて述べたが、複数の運転状態を持つ端末機器であれば温水エアコンに関わらずいかなる機器でも適用できる。
【００９３】
また、本実施の形態の資源供給システムでは、端末機器の操作手段として矢印ボタンで画面上の選択領域を移動させて機能を選択し決定ボタンで機能を実行する方法であるが、表示手段にタッチパネルを設け、画面を直接タッチすることにより機能を選択し実行させる方法でもよい。
【００９４】
また、本実施の形態の資源供給システムでは、端末機器の運転状態によりアイコンの色を変更しているが、色の変化に限らず運転切と入を直感的にわかるものであれば例えば絵柄を変化させるといった構成であってもよい。
【００９５】
また、本実施の形態の資源供給システムでは、熱源機制御通信手段２２と情報通信手段１０との２種の通信手段を分離して記載しているが、これらを物理的に同一の線を用いて周波数や時間、パケット等で分離して通信する構成としてもよい。
【００９６】
また、本実施の形態の資源供給システムは、給湯暖房システムの台所リモコン、床暖房機、浴室暖房機を例として表記しているが、家庭内、事務所内等で電気、温水、ガス、水などを供給するシステムにおいて端末機器を遠隔操作できるシステムであればいかなる用途であっても適用できる。
【００９７】
上記実施の形態に述べた資源供給システムにより、温水に限らず、電力、ガス、水力などの資源を端末機器に供給し利用するシステムにおいて、情報端末から端末機器を操作するための操作手段を構成することができ、使いやすい資源供給システムを提供できる。
【００９８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００９９】
以上のように本発明にかかる資源供給システムおよびそのプログラムは、情報端末に端末機器がそれぞれ個別に持つ様々な機能を操作するための操作手段を構成することが可能で、使いやすい資源供給システムを提供することができる。また、温水を用いた給湯暖房システムに限らず、電力、ガス、水力、石油燃料などの資源を端末機器に供給し利用するシステムにおいても利用可能である。
【図面の簡単な説明】
【０１００】
【図１】本発明の実施の形態１における資源供給システムの概要ブロック図
【図２】同システムのサーバーの詳細ブロック図
【図３】同システムの台所リモコン（情報端末）の詳細ブロック図
【図４】同システムの浴室リモコンの詳細ブロック図
【図５】同システムの熱源機の詳細ブロック図
【図６】同システムの床暖房機の詳細ブロック図
【図７】同システムの温水エアコンの詳細ブロック図
【図８】同システムの浴室暖房機の詳細ブロック図
【図９】同システムの台所リモコン（情報端末）の外観図
【図１０】同システムの端末機器の操作手段の画面表示図
【図１１】同システムの操作手段の温水エアコン操作時のフローチャート
【図１２】従来の暖房給湯システムのフローチャート
【符号の説明】
【０１０１】
２  台所リモコン（情報端末）
２ｃ  台所リモコン表示手段（表示手段）
２ｄ  台所リモコン記憶手段（記憶手段）
２ｇ  端末機器操作画面（操作手段）
４  熱源機（資源供給手段）
５  床暖房機（端末機器）
６  温水エアコン（端末機器）
６ｃ  温水エアコン操作リモコン（端末機器操作手段）
７  浴室暖房機（端末機器）
２２  熱源機制御通信手段（資源供給手段制御通信手段）
【図１】
2006226588.tif 000003
【図２】
2006226588.tif 000004
【図３】
2006226588.tif 000005
【図４】
2006226588.tif 000006
【図５】
2006226588.tif 000007
【図６】
2006226588.tif 000008
【図７】
2006226588.tif 000009
【図８】
2006226588.tif 000010
【図９】
2006226588.tif 000011
【図１０】
2006226588.tif 000012
【図１１】
2006226588.tif 000013
【図１２】
2006226588.tif 000014